(57)【要約】【課題】不正な写真フイルムの詰め替えを確実に防止する。【解決手段】レンズ付きフイルムユニット２は、前カバー１１、本体基部１２、パトローネ付き写真フイルム１３、後カバー１４から構成される。本体基部１２に設けられたパトローネ室１５に、パトローネ１８を装填する。本体基部１２に、パトローネ１８の軸方向に沿って溝１２ａを設ける。前カバー１１に、溝１２ａと同位置に溝１１ａを設ける。後カバー１４に、溝１２ａと同位置に溝１４ａを設ける。前カバー１１及び後カバー１４の上面及び下面に、溝１１ａ及び溝１２ａと同位置にそれぞれスリット１１ｂ、スリット１４ｂを設ける。前カバー片１１ｃに孔１１ｄを、後カバー片１４ｃに孔１４ｄをそれぞれ設ける。本体基部片１２ｂに形成された突起１２ｃ，１２ｄを、孔１１ｄ、孔１４ｄに挿入する。【選択図】　　　　図３
2004125968.tif 000002
【特許請求の範囲】
【請求項１】
フイルムへの露光範囲を決める露光枠の両側に、ロール状にしたフイルムを装填するフイルム室と撮影ごとに露光済みのフイルムが巻き込まれる巻き取り室とが一体に形成されるとともに、撮影機構が組み付けられる本体基部と、この本体基部の前面及び背面をそれぞれ覆うように本体基部に連結された前カバー及び後カバーとを有するレンズ付きフイルムユニットにおいて、
前記前カバーに、前記巻き取り室の前面を覆っている一部を破断するための溝を形成するとともに、前記本体基部及び後カバーには、本体基部の巻き取り室とその背面を覆っている後カバーの一部とからなる巻き取り室ユニットを破断するための溝を形成したことを特徴とするレンズ付きフイルムユニット。
【請求項２】
前記巻き取り室ユニットには、露光済みのフイルムを受け入れるスリットを遮光する遮光部材が設けられていることを特徴とする請求項１記載のレンズ付きフイルムユニット
【発明の詳細な説明】
【０００１】
【発明の属する技術分野】
本発明はレンズ付きフイルムユニットに関し、詳しくは不正なフイルムの詰め替えを防ぐようにしたレンズ付きフイルムユニットに関するものである。
【０００２】
【従来の技術】
【特許文献１】
特開平７−１２０８８３号公報
【０００３】
製造時に予めフイルムが装填されたレンズ付きフイルムユニットは、すぐに写真撮影ができ、その操作も簡単であることから一般に広く利用されている。このレンズ付きフイルムユニットは、写真フイルムカートリッジを装填したユニット本体と、このユニット本体の全部又は一部を覆って、装飾効果を出している外装体とからなる。ユニット本体は、写真フイルムが装填される本体基部とこれを前後から覆う前・後カバーとから構成され、本体基部には撮影レンズ、簡単なシャッタ機構、フイルム巻き上げ機構等が組み込まれている。使用済みのレンズ付きフイルムユニットは、製造メーカーによって回収され、構成部品ごとにリユース、あるいはリサイクルされている。
【０００４】
現在販売されているレンズ付きフイルムユニットの中には、使用済みのレンズ付きフイルムユニットに市販の写真フイルムを再装填して販売されているものがある。写真フイルムの不正な詰め替えを防ぐために、レンズ付きフイルムユニットの基本的な構成部品を超音波溶着などにより固着し、フイルム詰め替えのためにユニット本体を簡単に分割することができないようにしている。特に、後カバーが取り外されてしまうと、本体基部に形成されたフイルムロール室、アパーチャ、パトローネ室が完全に露呈し、暗室があれば簡単にフイルムの装填を行うことができるようになるため、後カバーは本体基部に強固に固着するようにしている。そして、無理に後カバーを分離したときには、その一部が破断したり、あるいは後カバーと係合している別の機能部品が破損するように工夫されている（例えば、特許文献１）。
【０００５】
【発明が解決しようとする課題】
しかしながら、特許文献１のレンズ付きフイルムユニットについても、後カバーを本体基部から分離し、破断した後カバーの一部を遮光シールなどで遮光するなどしてフイルムの詰め替えが行われる。このような詰め替え製品は、適正な検査や修理が行われずに販売されるため、信頼性に乏しいという問題がある。また、詰め替え製品に発生する問題は、レンズ付きフイルムユニットそのものに対する信頼性を傷つける恐れがある。
【０００６】
本発明はこのような背景を考慮してなされたもので、写真フイルムの詰め替えを確実に防止することができるレンズ付きフイルムユニットを安定した品質で提供することを目的とする。
【０００７】
【課題を解決するための手段】
上記目的を達成するために、本発明のレンズ付きフイルムユニットは、フイルムへの露光範囲を決める露光枠の両側に、ロール状にしたフイルムを装填するフイルム室と撮影ごとに露光済みのフイルムが巻き込まれる巻き取り室とが一体に形成されるとともに、撮影機構が組み付けられる本体基部と、この本体基部の前面及び背面をそれぞれ覆うように本体基部に連結された前カバー及び後カバーとを有するレンズ付きフイルムユニットにおいて、前記前カバーに、前記巻き取り室の前面を覆っている一部を破断するための溝を形成するとともに、前記本体基部及び後カバーには、本体基部の巻き取り室とその背面を覆っている後カバーの一部とからなる巻き取り室ユニットを破断するための溝を形成したことを特徴とする。なお、前記巻き取り室ユニットには、露光済みのフイルムを受け入れるスリットを遮光する遮光部材が設けられていることが好ましい。
【０００８】
【発明の実施の形態】
図１は、本発明を実施したレンズ付きフイルムユニット２の外観斜視図である。レンズ付きフイルムユニット２は、前面に撮影レンズ４、ファインダー対物窓５などが、また、上面にシャッタボタン６や枚数表示窓７が、さらに、背面側には巻き上げノブ８がそれぞれ露呈して設けられている。
【０００９】
図２に示すように、レンズ付きフイルムユニット２は、前カバー１１、本体基部１２、パトローネ付き写真フイルム１３、後カバー１４から構成されている。本体基部１２には、パトローネ室１５、フイルム室１６、アパーチャ１７が形成されている。パトローネ室１５は、アパーチャ１７を挟んだ一方側に設けられている。パトローネ付き写真フイルム１３のパトローネ１８は、パトローネ室１５に装填される、パトローネ１８のスプール１９には、巻き上げノブ８の軸２０が係合する。巻き上げノブ８は、弾性自在な逆止爪２１の係合によりフイルム巻き上げ方向とは逆の回転が阻止されている。
【００１０】
フイルム室１６は、アパーチャ１７を挟んだ他方側に設けられ、これにはパトローネ１８から引き出した未露光の写真フイルム２２がフイルムロール２３の形態で収納される。パトローネ付き写真フイルム１３は、本体基部１２の背面側から装填され、後カバー１４を取り付けることで遮光状態で収納される。この本体基部１２の前面には、シャッタ機構、フイルム巻き止め機構、及びフイルムカウンタ機構などが組み込まれ、その前面に前カバー１１が被せられている。フイルム室１６とパトローネ室１５との底は、後カバー１４に設けたプルトップ式の蓋２４，２５によりそれぞれ遮蔽される。
【００１１】
写真フイルム２２は、本体基部１２の背面２７と後カバー１４の前面との間に設けられたフイルム通路を通ってフイルム室１６からパトローネ室１５に向けて巻き上げられる。写真フイルム２２としては、フイルム幅方向の一端に、パーフォレーション２８を一定ピッチで配列したものが用いられる。この例では、アパーチャ１７を挟んだ上側を通るフイルム幅方向の端部にパーフォレーション２８を配列している。フイルム通路を構成する本体基部１２の背面２７は、像面湾曲などを補正するために、フイルム給送方向に沿って凸を背面に向けた円弧面となっている。
【００１２】
図３に示す断面図のように、本体基部１２の背面２７には、アパーチャ１７とパトローネ室１５との間に溝１２ａが設けられており、この溝１２ａは、パトローネ１８の軸方向に沿って上部から下部まで設けられている。また、前カバー１１には、溝１２ａと図中横方向の同位置に溝１１ａが設けられており、この溝１１ａは、パトローネ１８の軸方向に沿って上部から下部まで設けられている。さらに、後カバー１４には、溝１２ａと図中横方向の同位置に溝１４ａが設けられており、この溝１４ａは、パトローネ１８の軸方向に沿って上部から下部まで設けられている。また、図１に示すように、前カバー１１及び後カバー１４の上面及び下面には、溝１１ａ及び溝１２ａと図中横方向の同位置にそれぞれスリット１１ｂ、スリット１４ｂが設けられている。
【００１３】
図１及び図３に示すように、前カバー１１の溝１１ａよりパトローネ室１５側の前カバー片１１ｃには孔１１ｄが２個設けられており、本体基部１２の溝１２ａよりパトローネ室１５側の本体基部片１２ｂに形成された２個の突起１２ｃが、孔１１ｄに挿入されている。図１及び図６に示すように、後カバー１４の溝１４ａよりパトローネ室１５側の後カバー片１４ｃには孔１４ｄが設けられており、本体基部片１２ｂに形成された突起１２ｄが、孔１４ｄに挿入されている。後カバー片１４ｃには、孔１１ｄに対応した位置にテーパ１４ｅが設けられている。
【００１４】
次に、本実施形態の作用について説明する。撮影は、巻き上げノブ８をフイルム巻き上げ方向に回転して写真フイルム２２を巻き上げる。この操作により写真フイルム２２が移送され、シャッタ機構がシャッタチャージされる。これにより、最初の撮影コマがアパーチャ１７にセットされ、撮影準備が整う。
【００１５】
シャッタボタン６を押下すると、これに連動してシャッタ機構が作動する。シャッタ機構の作動により撮影レンズ４を通った被写体光がシャッタ開口を通ってアパーチャ１７にセットされた写真フイルム２２に入射して露光が行われる。そして、露光完了後に、フイルム巻き止め機構のロックが解除される。これにより、次回の撮影準備が整う。最後の撮影コマへの撮影が完了すると、フイルムカウンタ機構がフイルム巻き止め機構の作動を阻止する。これにより、その後のフイルム巻き上げ操作によって、フイルム巻き止めが行われることなく、全ての写真フイルム２２をパトローネ１８に収納することができる。
【００１６】
使用済みのレンズ付きフイルムユニット２は、現像所に提出される。現像所では、撮影済みの写真フイルム２２を巻き取ったパトローネ１８を取り出して、現像処理を行う。空のレンズ付きフイルムユニット２は、工場に回収されてリサイクルされる。
【００１７】
撮影済みの写真フイルム２２が収納されたパトローネ１８を、レンズ付きフイルムユニット２から取り出すには、先ず、図４及び図５に示すように、テーパ１４ｅにスクリュードライバー等を差し込み、前カバー片１１ｃを図中下方向に押し下げる。そして、孔１１ｄから突起１２ａが取り外され、前カバー片１１ｃは、前面は溝１１ａを、上面及び下面はスリット１１ｂをそれぞれ基点にして反時計方向Ａに折り曲げられ、前カバー１１から分離する。
【００１８】
前カバー片１１ｃ分離後、図６及び図７に示すように、後カバー片１４ｃを、背面は溝１４ａを、上面及び下面はスリット１４ｂをそれぞれ基点にして時計方向Ｂに折り曲げ、後カバー１４から分離するとともに、本体基部片１２ｂを溝１２ａを基点にして時計方向Ｂに折り曲げ、本体基部１２から分離する。
【００１９】
後カバー片１４ｃ及び本体基部片１２ｂを分離した後、図８及び図９に示すように、本体基部片１２ｂを後カバー片１４ｃから取り外す。そして、取り出した本体基部片１２ｂからパトローネ１８を取り出す。
【００２０】
このように、前カバー片１１ｃと本体基部片１２ｂと後カバー片１４ｃとを、レンズ付きフイルムユニット２から分離させてパトローネ１８を取り出すから、前カバー片１１ｃと本体基部片１２ｂと後カバー片１４ｃとを再利用することができなくなり、不正なフイルム詰め替えを確実に防止することができる。
【００２１】
なお、上記実施形態では、パトローネを用いて写真フイルムを収納する構成にしたが、パトローネ室に直接露光済みの写真フイルムを収納する構成にしてもよく、この場合には、パトローネ室を光密に保持するために、一対の帯状のテレンプを、互いに対向し合うようにパトローネ室に取り付け、さらには、本体基部片と後カバー片とが簡単に分離しないように、溶着などにより固定する。
【００２２】
また、上記実施形態では、本体基部の溝、前カバーの溝及びスリット、後カバーの溝及びスリットをレンズ付きフイルムユニットの横方向の同位置に設けたが、これに限定されることなく、それぞれずらした位置に設けてもよい。
【００２３】
【発明の効果】
以上説明したように、本発明のレンズ付きフイルムユニットによれば、前カバーに、巻き取り室の前面を覆っている一部を破断するための溝を形成するとともに、本体基部及び後カバーには、本体基部の巻き取り室とその背面を覆っている後カバーの一部とからなる巻き取り室ユニットを破断するための溝を形成したから、前カバーと巻き取り室ユニットとを分離させてパトローネを取り出すから、前カバーと巻き取り室ユニットとを再利用することができなくなり、フイルムの不正な詰め替えを確実に防止することができる。
【図面の簡単な説明】
【図１】本発明を実施したレンズ付きフイルムユニットの外観を示す斜視図である。
【図２】図１で説明したレンズ付きフイルムユニットの後カバーを取り外した状態を示す分解斜視図であり、背面側から見ている。
【図３】本発明を実施したレンズ付きフイルムユニットの要部を示す断面図である。
【図４】前カバーから前カバー片を分離するときの断面図である。
【図５】前カバーから前カバー片を分離するときの上面図である。
【図６】後カバー及び本体基部片を分離するときの断面図である。
【図７】後カバー及び本体基部片を分離するときの上面図である。
【図８】本体基部片を分離するときの断面図である。
【図９】本体基部片を分離するときの上面図である。
【符号の説明】
２　レンズ付きフイルムユニット
１１　前カバー
１１ａ　溝
１１ｂ　スリット
１１ｃ　前カバー片
１１ｄ　孔
１２　本体基部
１２ａ　溝
１２ｂ　本体基部片
１２ｃ　突起
１３　パトローネ付き写真フイルム
１４　後カバー
１４ａ　溝
１４ｂ　スリット
１４ｃ　後カバー片
１４ｄ　孔
１４ｅ　テーパ
１５　パトローネ室
１６　フイルム室
１７　アパーチャ
１８　パトローネ
２２　写真フイルム
【図１】
2004125968.tif 000003
【図２】
2004125968.tif 000004
【図３】
2004125968.tif 000005
【図４】
2004125968.tif 000006
【図５】
2004125968.tif 000007
【図６】
2004125968.tif 000008
【図７】
2004125968.tif 000009
【図８】
2004125968.tif 000010
【図９】
2004125968.tif 000011